(57)【要約】【課題】低電圧での駆動が可能で、大きなトルクを作用させることができ、かつ、可動部の回転角度（振れ角）が大きいアクチュエータを提供すること。【解決手段】支持部３、３と、複数の電極指５１を備える可動櫛歯電極１、１１および可動部２と、可動櫛歯電極１、１１に対応する位置に設けられ、複数の電極指７１を備える固定櫛歯電極７３、７４、７５、７６と、可動櫛歯電極１、１１と支持部３、３とを連結する第１の弾性連結部４、４と、可動櫛歯電極１、１１と可動部２とを連結する一対の第２の弾性連結部５、５とを有し、交流電圧を印加することにより生じるクーロン力によって、可動櫛歯電極１、１１が駆動し、それに伴い可動部２が回動するアクチュエータ１００であって、第２の弾性連結部５に対して、第１の弾性連結部４の、回動中心軸４１まわりのねじり剛性が大きいことを特徴とする。【選択図】図１
2006167860.tif 000002
【特許請求の範囲】
【請求項１】
支持部と、
前記支持部に支持され、所定間隔で併設された複数の第１の電極指を備える可動櫛歯電極および可動部と、
前記可動櫛歯電極に対応する位置に設けられ、所定間隔で併設された複数の第２の電極指を備える固定櫛歯電極と、
前記可動櫛歯電極と前記支持部とを、前記可動櫛歯電極が前記支持部に対して回動可能となるように連結する一対の第１の弾性連結部と、
前記可動櫛歯電極と前記可動部とを、前記可動部が前記可動櫛歯電極に対して回動可能となるように連結する一対の第２の弾性連結部とを有し、
前記固定櫛歯電極と前記可動櫛歯電極との間に交流電圧を印加することにより生じるクーロン力によって、前記可動櫛歯電極が回動中心軸を中心に回動し、それに伴い前記可動部が回動するものであり、
前記第２の弾性連結部に対して、前記第１の弾性連結部の、前記回動中心軸まわりのねじり剛性が大きいことを特徴とするアクチュエータ。
【請求項２】
前記交流電圧の非印加時に、前記固定櫛歯電極と前記可動櫛歯電極との少なくとも一部が、厚さ方向に重なっている請求項１に記載のアクチュエータ。
【請求項３】
前記交流電圧の非印加時に、前記回動中心軸の方向から見たとき、前記固定櫛歯電極と前記可動櫛歯電極との少なくとも一部が重なっている請求項１または２に記載のアクチュエータ。
【請求項４】
前記交流電圧の非印加時に、回動中心軸の方向から見たとき、前記各第１の電極指の先端部と前記各第２の電極指の先端部とのうちの一方が、他方を包含するように重なっている請求項１ないし３のいずれかに記載のアクチュエータ。
【請求項５】
前記回動中心軸の方向から見たとき、前記各第１の電極指の厚さが、前記各第２の電極指の厚さより大きい請求項１ないし４のいずれかに記載のアクチュエータ。
【請求項６】
前記回動中心軸の方向から見たときの前記各第１の電極指の厚さと前記各第２の電極指の厚さとの一方をＡ［μｍ］、他方をＢ［μｍ］としたとき、Ａ／Ｂが、１．０〜３．０なる関係を満足する請求項１ないし５のいずれかに記載のアクチュエータ。
【請求項７】
前記交流電圧の非印加時に、前記回動中心軸の方向から見たとき、前記各第１の電極指の厚さ方向の一方の端部の位置と、前記各第２の電極指の厚さ方向の一方の端部の位置とが略一致している請求項１ないし６のいずれかに記載のアクチュエータ。
【請求項８】
前記第２の弾性連結部に対して、前記第１の弾性連結部の断面２次モーメントが大きい請求項１ないし７のいずれかに記載のアクチュエータ。
【請求項９】
前記第１の弾性連結部は、前記回動中心軸を中心に、互いに所定距離離間した２本の連結部材で構成されている請求項１ないし８のいずれかに記載のアクチュエータ。
【請求項１０】
前記可動櫛歯電極は、前記２本の連結部材が、それぞれ曲げ変形することによって、前記回動中心軸を中心に回動するよう構成されている請求項９に記載のアクチュエータ。
【請求項１１】
前記固定櫛歯電極と前記可動櫛歯電極とは、共通の第１の基材に対して加工を施して形成された構造体である請求項１ないし１０のいずれかに記載のアクチュエータ。
【請求項１２】
前記可動櫛歯電極と前記固定櫛歯電極とは、前記第１の基材にパターニングを施して、前記第１の電極指と前記第２の電極指とを互いに非接触になるように分離して形成したものである請求項１１に記載のアクチュエータ。
【請求項１３】
前記支持部と前記固定櫛歯電極とを支持し、絶縁性を備える支持基板を有し、
前記構造体と前記支持基板とは、シリコンで構成された前記第１の基材と、シリコン酸化物で構成された中間層と、シリコンで構成された第２の基材とがこの順で積層されている積層体を加工して形成されたものである請求項１１または１２に記載のアクチュエータ。
【請求項１４】
前記固定櫛歯電極と前記可動櫛歯電極とを２組備え、
前記固定櫛歯電極と前記可動櫛歯電極とは、それぞれ、前記可動部を介して該可動部の両側部に１組ずつ設けられている請求項１ないし１３のいずれかに記載のアクチュエータ。
【請求項１５】
前記複数の第１の電極指は、前記可動櫛歯電極の前記回動中心軸に対して略垂直な方向の端部に設けられている請求項１ないし１４のいずれかに記載のアクチュエータ。
【請求項１６】
前記１組の固定櫛歯電極と前記可動櫛歯電極とは、前記可動櫛歯電極の前記回動中心軸に対して略垂直な方向の両端部に、それぞれ、前記固定櫛歯電極が一対設けられた構造をなす請求項１５に記載のアクチュエータ。
【請求項１７】
前記可動櫛歯電極に貫通孔が形成されている請求項１ないし１６のいずれかに記載のアクチュエータ。
【請求項１８】
前記可動部に、光反射部が設けられている請求項１ないし１７のいずれかに記載のアクチュエータ。
【請求項１９】
前記交流電圧の周波数が、前記可動櫛歯電極と前記可動部とが共振する２自由度振動系の共振周波数のうち低いものと略等しくなるように設定されている請求項１ないし１８のいずれかに記載のアクチュエータ。
【請求項２０】
前記一対の第１の弾性連結部と前記一対の第２の弾性連結部のうち少なくとも１つが、その内部にピエゾ抵抗素子を備えている請求項１ないし１９のいずれかに記載のアクチュエータ。
【発明の詳細な説明】
【技術分野】
【０００１】
本発明は、アクチュエータに関するものである。
【背景技術】
【０００２】
例えば、レーザープリンタ等に用いられるアクチュエータとしてポリゴンミラー（回転多面体）が知られている。
しかし、このようなポリゴンミラーにおいて、より高解像度で品質のよい印字と高速印刷を達成するには、ポリゴンミラーの回転をさらに高速にしなければならない。現在のポリゴンミラーには高速安定回転を維持するためにエアーベアリングが使用されているが、今以上の高速回転を得るのは困難となっている。また、高速にするためには、大型のモーターが必要であり、危機の小型化の面で不利であるという問題がある。このようなポリゴンミラーを用いると、構造が複雑となり、コストが高くなるといった問題も生じる。
また、図１１に示すような、平行平板状に電極を配置した１自由度のねじり振動子は、その構造が簡単なことから、アクチュエータの研究初期から提案されている（例えば、非特許文献１参照）。また、前記ねじり振動子をカンチレバー方式とした１自由度静電駆動型振動子も提案されている（例えば、非特許文献２参照）。
【０００３】
図１１の１自由度静電駆動型ねじり振動子は、ガラス基板１０００上の両端部にスぺーサ２００を介してシリコンの単結晶板からなる可動電極板３００の両端固定部３００ａを固定し、この可動電極板３００の両端固定部３００ａ間に、細巾のトーションバー３００ｂを介して可動電極部３００ｃを支持させ、また、その可動電極部３００ｃに電極間隔を置いて対向させる固定電極４００を、ガラス基板１０００上において前記可動電極部３００ｃに対し平行配置している。可動電極板３００と固定電極４００との間にはスイッチ６００を介して電源５００が接続される。
【０００４】
前記構成を有するねじり振動子は、可動電極部３００ｃと固定電極４００との間に電圧を印加すると、静電引力によりトーションバー３００ｂを軸として可動電極部３００ｃが回転するものである。しかるに、静電引力は電極間隔の二乗に反比例するため、この種の静電アクチュエータにおいては電極間隔を小さくすることが望まれる。しかし、上述した１自由度の構造では、可動電極部３００ｃが電極と可動部を兼ねるため、電極間隔を狭くすると変位（回転角）に制約が生じ、また可動範囲を大きくとるためには電極間隔を大きくする必要がある。このため、低電圧駆動と大振幅（振れ角）の両立が困難であるという問題がある。
【０００５】
【非特許文献１】K.E.Petersen:“Silicon Torsional Scanning Mirror”,IBMJ.Res.Develop.,vol.24(1980)、P.631
【非特許文献２】河村他：“Ｓｉを用いたマイクロメカニクスの研究”、昭和６１年度精密工学会秋季大会学術講演会論文集、P.753
【発明の開示】
【発明が解決しようとする課題】
【０００６】
本発明の目的は、低電圧での駆動が可能で、大きなトルクを作用させることができ、かつ、可動部の回転角度（振れ角）が大きいアクチュエータを提供することにある。
【課題を解決するための手段】
【０００７】
このような目的は、下記の本発明により達成される。
本発明のアクチュエータは、支持部と、
前記支持部に支持され、所定間隔で併設された複数の第１の電極指を備える可動櫛歯電極および可動部と、
前記可動櫛歯電極に対応する位置に設けられ、所定間隔で併設された複数の第２の電極指を備える固定櫛歯電極と、
前記可動櫛歯電極と前記支持部とを、前記可動櫛歯電極が前記支持部に対して回動可能となるように連結する一対の第１の弾性連結部と、
前記可動櫛歯電極と前記可動部とを、前記可動部が前記可動櫛歯電極に対して回動可能となるように連結する一対の第２の弾性連結部とを有し、
前記固定櫛歯電極と前記可動櫛歯電極との間に交流電圧を印加することにより生じるクーロン力によって、前記可動櫛歯電極が回動中心軸を中心に回動し、それに伴い前記可動部が回動するものであり、
前記第２の弾性連結部に対して、前記第１の弾性連結部の、前記回動中心軸まわりのねじり剛性が大きいことを特徴とする。
これにより、低電圧での駆動が可能で、大きなトルクを作用させることができ、かつ、可動部の回転角度（振れ角）が大きいアクチュエータを得ることができる。
【０００８】
本発明のアクチュエータでは、前記交流電圧の非印加時に、前記固定櫛歯電極と前記可動櫛歯電極との少なくとも一部が、厚さ方向に重なっていることが好ましい。
これにより、固定櫛歯電極と可動櫛歯電極とが接近しているため、より低電圧での駆動が可能で、可動櫛歯電極に、より大きなトルクを作用させることができ、かつ、可動部の回転角度（振れ角）が大きいアクチュエータを得ることができる。
【０００９】
本発明のアクチュエータでは、前記交流電圧の非印加時に、前記回動中心軸の方向から見たとき、前記固定櫛歯電極と前記可動櫛歯電極との少なくとも一部が重なっていることが好ましい。
これにより、可動櫛歯電極を容易に回動させることができ、低電圧での駆動が可能となる。
【００１０】
本発明のアクチュエータでは、前記交流電圧の非印加時に、回動中心軸の方向から見たとき、前記各第１の電極指の先端部と前記各第２の電極指の先端部とのうちの一方が、他方を包含するように重なっていることが好ましい。
これにより、駆動効率が向上し、低電圧での駆動が可能となる。また、より大きなトルクを発生させることができる。
【００１１】
本発明のアクチュエータでは、前記回動中心軸の方向から見たとき、前記各第１の電極指の厚さが、前記各第２の電極指の厚さより大きいことが好ましい。
これにより、可動櫛歯電極の強度を保ちつつ、可動櫛歯電極を振動（回動）させることができるため、アクチュエータの長寿命化を図ることができる。
本発明のアクチュエータでは、前記回動中心軸の方向から見たときの前記各第１の電極指の厚さと前記各第２の電極指の厚さとの一方をＡ［μｍ］、他方をＢ［μｍ］としたとき、Ａ／Ｂが、１．０〜３．０なる関係を満足することが好ましい。
これにより、駆動効率が、より向上し、低電圧での駆動が可能となる。
本発明のアクチュエータでは、前記交流電圧の非印加時に、前記回動中心軸の方向から見たとき、前記各第１の電極指の厚さ方向の一方の端部の位置と、前記各第２の電極指の厚さ方向の一方の端部の位置とが略一致していることが好ましい。
これにより、駆動効率が、さらに向上し、低電圧での駆動が可能となる。
【００１２】
本発明のアクチュエータでは、前記第２の弾性連結部に対して、前記第１の弾性連結部の断面２次モーメントが大きいことが好ましい。
これにより、可動部の回転角度（振れ角）を大きくすることができる。
本発明のアクチュエータでは、前記第１の弾性連結部は、前記回動中心軸を中心に、互いに所定距離離間した２本の連結部材で構成されていることが好ましい。
これにより、可動櫛歯電極の駆動（回転動作）が安定し、かつ、可動部の回転角度（振れ角）を大きくすることができる。
【００１３】
本発明のアクチュエータでは、前記可動櫛歯電極は、前記２本の連結部材が、それぞれ曲げ変形することによって、前記回動中心軸を中心に回動するよう構成されていることが好ましい。
これにより、可動櫛歯電極の駆動（回転動作）が安定し、かつ、可動部の回転角度（振れ角）をより大きくすることができる。
【００１４】
本発明のアクチュエータでは、前記固定櫛歯電極と前記可動櫛歯電極とは、共通の第１の基材に対して加工を施して形成された構造体であることが好ましい。
これにより、固定櫛歯電極と可動櫛歯電極とが形成された構造体を容易に得ることができる。
本発明のアクチュエータでは、前記可動櫛歯電極と前記固定櫛歯電極とは、前記第１の基材にパターニングを施して、前記第１の電極指と前記第２の電極指とを互いに非接触になるように分離して形成したものであることが好ましい。
これにより、所望の形状、寸法の可動櫛歯電極と固定櫛歯電極とを精密に製造することができる。
【００１５】
本発明のアクチュエータでは、前記支持部と前記固定櫛歯電極とを支持し、絶縁性を備える支持基板を有し、
前記構造体と前記支持基板とは、シリコンで構成された前記第１の基材と、シリコン酸化物で構成された中間層と、シリコンで構成された第２の基材とがこの順で積層されている積層体を加工して形成されたものであることが好ましい。
これにより、構造体と支持基板とを容易に形成することができる。
【００１６】
本発明のアクチュエータでは、前記固定櫛歯電極と前記可動櫛歯電極とを２組備え、
前記固定櫛歯電極と前記可動櫛歯電極とは、それぞれ、前記可動部を介して該可動部の両側部に１組ずつ設けられていることが好ましい。
これにより、可動櫛歯電極に、より大きなトルクを作用させることができ、可動部の振れ角をより大きくすることができる。
本発明のアクチュエータでは、前記複数の第１の電極指は、前記可動櫛歯電極の前記回動中心軸に対して略垂直な方向の端部に設けられていることが好ましい。
これにより、可動櫛歯電極を効率良く変位させることができる。
【００１７】
本発明のアクチュエータでは、前記１組の固定櫛歯電極と前記可動櫛歯電極とは、前記可動櫛歯電極の前記回動中心軸に対して略垂直な方向の両端部に、それぞれ、前記固定櫛歯電極が一対設けられた構造をなすことが好ましい。
これにより、可動櫛歯電極にさらに大きなトルクを作用させることができる。
本発明のアクチュエータでは、前記可動櫛歯電極に貫通孔が形成されていることが好ましい。
これにより、可動櫛歯電極の質量を低減することができるため、高速（高周波数）での駆動が可能となる。
本発明のアクチュエータでは、前記可動部に、光反射部が設けられていることが好ましい。
本発明のアクチュエータは、各種のものに適用可能であるが、例えば光スキャナへの適用が好適であり、この場合、光の光路を容易に変更することができる。
【００１８】
本発明のアクチュエータでは、前記交流電圧の周波数が、前記可動櫛歯電極と前記可動部とが共振する２自由度振動系の共振周波数のうち低いものと略等しくなるように設定されていることが好ましい。
これにより、低電圧で高速動作が可能で、かつ、振れ角（振幅）の大きいアクチュエータを提供することができる。また、このような構成とすることにより、可動櫛歯電極の振れ角を抑制しつつ、可動部の回転角度（振れ角）を大きくすることができる。
本発明のアクチュエータでは、前記一対の第１の弾性連結部と前記一対の第２の弾性連結部のうち少なくとも１つが、その内部にピエゾ抵抗素子を備えていることが好ましい。
これにより、例えば、回転角度および回転周波数を検出したりすることができ、また、その検出結果を、可動部の姿勢の制御に利用することができる。
【発明を実施するための最良の形態】
【００１９】
以下、本発明のアクチュエータを添付図面に示す好適実施形態に基づいて詳細に説明する。
まず、本発明のアクチュエータの第１実施形態について説明する。
図１は、本発明のアクチュエータの第１実施形態を示す平面図、図２は、図１のＡ−Ａ線での断面図、図３は、図１中のＢ−Ｂ線での断面図である。なお、以下では、説明の便宜上、図１中の右側を「右」、左側を「左」、上側を「上」、下側を「下」と言う。
【００２０】
図１および図２に示すように、アクチュエータ１００は、可動櫛歯電極（第１の質量部）１、１１と、可動部２（第２の質量部）と、可動部２と可動櫛歯電極１、１１とを支持する１対の支持部３、３と、可動櫛歯電極１、１１に対応して設けられた４つの固定櫛歯電極７３、７４、７５、７６と、絶縁部（支持基板）８と下基板９とを有している。
図１に示すように、アクチュエータ１００は、可動部２が中心に位置し、可動部２を介し、可動櫛歯電極１が一端側（右側）に設けられ、可動歯電極１１が他端側（左側）に設けられている。すなわち、可動部２の両側部に、それぞれ可動櫛歯電極１、１１が設けられている。
【００２１】
可動櫛歯電極１、１１は、略同一形状かつ略同一寸法で、可動部２を介して、略対称（線対称）に設けられている。
また、図１に示すように、可動櫛歯電極１、１１には、それぞれ、貫通孔１４が、形成されている。図示の例では、可動櫛歯電極１、１１に、それぞれ、２つずつ貫通孔１４が、形成されている。
なお、各貫通孔１４の形状（平面形状）や平面視での大きさは、目的とする可動部２の駆動周波数に応じて適宜設定される。
また、可動櫛歯電極１の図１中右側に一方の支持部３が配置され、可動櫛歯電極１１の図１中左側に他方の支持部３が配置されている。
【００２２】
固定櫛歯電極７３、７４は、可動櫛歯電極１に対応する位置に設けられている。換言すると、固定櫛歯電極７３は、可動櫛歯電極１の図１中上側に設けられ、固定櫛歯電極７４は、可動櫛歯電極１の図１中下側に設けられている。
同様に、固定櫛歯電極７５、７６は、可動櫛歯電極１１に対応する位置に設けられている。換言すると、固定櫛歯電極７５は、可動櫛歯電極１１の図１中上側に設けられ、固定櫛歯電極７６は、可動櫛歯電極１１の図１中下側に設けられている。
ここで、可動櫛歯電極１と固定櫛歯電極７３、７４とが１組の櫛歯状電極６を構成し、可動櫛歯電極１１と固定櫛歯電極７５、７６とが１組の櫛歯状電極７を構成している。すなわち、アクチュエータ１００は、２組の櫛歯状電極６、７を備えている。
【００２３】
可動部２の表面には、光を効率的に反射させる光反射部２１が設けられている。
また、アクチュエータ１００は、図１に示すように、可動櫛歯電極１、１１が対応する支持部３、３に対して回動可能となるように、可動櫛歯電極１、１１と支持部３、３とを連結する１対の第１の弾性連結部４、４を有している。また、可動部２が、可動櫛歯電極１、１１に対して回動可能となるように、可動櫛歯電極１、１１と、可動部２とを連結する１対の第２の弾性連結部５、５を有している。すなわち、可動部２は第２の弾性連結部５、５を介して、可動櫛歯電極１、１１にそれぞれ接続され、可動櫛歯電極１、１１は、第１の弾性連結部４、４を介して支持部３、３にそれぞれ接続されている。
【００２４】
ここで、第２の弾性連結部５、５は、略同一形状かつ略同一寸法をなしている。
また、第１の弾性連結部４と、第２の弾性連結部５とは同軸的に設けられており、これらが回動中心軸（回転軸）４１となる。
ここで、各第１の弾性連結部４は、それぞれ、回動中心軸４１を中心に互いに等間隔（所定距離）だけ離間した２本の連結部材４２、４２で構成されている。
【００２５】
連結部材４２、４２は、互いに略同一寸法、同一形状をなしており、可動櫛歯電極１、１１の駆動時に、主として曲げ変形を生じるものである。
また、図１に示すように、第２の弾性連結部５の幅（回動中心軸４１に対してほぼ垂直な方向の両端部の間の長さ）をａ、各連結部材４２の幅をｂとすると、幅ａと幅ｂとは、略等しく形成されている。
また、図２に示すように、第１の弾性連結部４、４の厚さ（上下方向の長さ）ｃと第２の弾性連結部５、５との厚さｄとは、略等しく形成されている。
さらに、各連結部材４２の長さ（左右方向の長さ）をｅ、第２の弾性連結部５、５の長さをｆとすると、ｅとｆとは、略等しく形成されている。
【００２６】
これらの可動櫛歯電極１、１１、可動部２、支持部３、３、第１の弾性連結部４、４および第２の弾性連結部５、５は、後述するように、例えば、シリコン等を主材料として、好ましくは一体的に形成されている。
これらの可動櫛歯電極１、１１、可動部２、支持部３、３、第１の弾性連結部４、４および第２の弾性連結部５、５は、好ましくは一体的に形成されている。
可動櫛歯電極１、１１と可動部２と支持部３、３と第１の弾性連結部４、４と第２の弾性連結部５、５と固定櫛歯電極７３、７４、７５、７６とは、共通の基材（第１の基材）に対して加工を施して形成されており、これらが、構造体１０を構成している。
構造体１０は、導電性を有し、例えば、シリコン等で構成されている。
【００２７】
図２および図３に示すように、各支持部３と、固定櫛歯電極７３、７４、７５、７６とは、それぞれ、絶縁性を備える絶縁部（支持基板）８を介して、下基板９と接合（固着）している。これら各支持部３と固定櫛歯電極７３、７４、７５、７６とは、それぞれ、絶縁部８および下基板９によって支持される。
絶縁部８は、例えば、シリコン酸化物やシリコン窒化物やシリコン酸窒化物等で構成されている。下基板９は、例えば、シリコン等で構成されている。
【００２８】
図２および図３に示すように、絶縁部８および下基板９は、開口部６０を有している。
開口部６０は、可動櫛歯電極１、１１と可動部２との下部に対応する部位に設けられている。この開口部６０は、可動部２が回動（振動）する際に、下基板９に接触するのを防止する逃げ部を構成する。開口部６０を設けることにより、アクチュエータ１００全体の大型化を防止しつつ、可動部２の振れ角（振幅）をより大きく設定することができる。
【００２９】
図４は、図３に示す櫛歯状電極の一部を拡大した断面図である。
なお、以下では、説明の便宜上、図４中の右側を「右」、左側を「左」、上側を「上」、下側を「下」と言う。
以下、図１および図４を参照して、櫛歯状電極６、７について詳細に説明するが、櫛歯状電極６と櫛歯状電極７との構成（関係）は、それぞれ、同様であるので、代表的に櫛歯状電極６について説明する。
また、固定櫛歯電極７３と可動櫛歯電極１との構成（関係）と、固定櫛歯電極７４と可動櫛歯電極１との構成（関係）とは、それぞれ、同様であるので、代表的に固定櫛歯電極７３と可動櫛歯電極１との構成（関係）について説明する。
可動櫛歯電極１は、可動電極５５と、可動電極５５に連設され、図１中左右方向に所定間隔で併設された複数の電極指５１を備えている。
固定櫛歯電極７３は、固定電極７７と、固定電極７７に連設され、図１中左右方向に所定間隔で併設された複数の電極指７１とを備えている。
【００３０】
図１に示すように、各電極指５１は、可動櫛歯電極１の回動中心軸４１に対して略垂直な方向の両端部、すなわち、可動櫛歯電極１の、それぞれ、上部および下部に設けられている。また、各電極指７１は、平面視で、各電極指５１と所定の距離だけ離間した状態で、交互に位置している。換言すれば、各電極指７１と各電極指５１とが、互いに噛み合うようにして配置されている。
【００３１】
図４に示すように、可動電極５５と固定電極７７との厚さ（図４中上下方向の長さ）は、略等しく形成されており、後述する交流電圧の非印加時に、可動電極５５の上面の高さと、固定電極７７の上面の高さとは互いに略一致している。同様に、可動電極５５の下面の高さと、固定電極７７の下面の高さとは、互いに略一致している。
電極指５１の厚さ（図４中上下方向の長さ）は、可動電極５５の厚さと等しく形成されている。
また、電極指７１の厚さ（図４中上下方向の長さ）は、固定電極７７の厚さより小さく形成されている。すなわち、電極指５１の厚さをＬ４、電極指７１の厚さをＬ５としたとき、Ｌ４よりＬ５が小さく形成されている。
【００３２】
ここで、図４に示すように、交流電圧の非印加時に、回動中心軸４１の方向（以下「軸方向」という）から見たとき、電極指５１の先端部５１１は、電極指７１の先端部７１１を包含するように重なっている。より詳しくは、電極指５１の下端面５１２（厚さ方向の一方の端部）の位置と、電極指７１の下端面７１２（厚さ方向の一方の端部）の位置とが略一致するように重なっている。これにより、各電極指５１の厚さ方向の長さの中点ｈ４と、各電極指７１の厚さ方向の中点ｈ５との距離ｈ６を大きくすることができるため、低電圧での駆動で、かつ、可動櫛歯電極１の回転角度（振れ角）を大きくすることができる。
ここで、電極指５１の厚さＬ４と各電極指７１の厚さＬ５とは、Ｌ４／Ｌ５（Ａ／Ｂ）が、１．０〜３．０なる関係を満足するのが好ましく、１．２〜２．０なる関係を満足するのがより好ましい。これにより、駆動効率が向上し、可動櫛歯電極１の低電圧駆動が可能となる。
【００３３】
アクチュエータ１００では、これらの電極指５１および電極指７１の幅、間隔、厚さ等を調整することにより、駆動特性を所望のものに設定することができる。
前述したような構成においては、可動櫛歯電極１、１１と第１の弾性連結部４、４とで構成される第１の振動系と、可動部２と第２の弾性連結部５、５とで構成される第２の振動系とで、２自由度振動系のアクチュエータ１００が構成される。
【００３４】
次に、本実施形態のアクチュエータ１００の動作を説明する。
図５は、アクチュエータに印加する交流電圧の一例を示す図である。
このようなアクチュエータ１００は、次のようにして駆動する。
所定の固定櫛歯電極７３、７４、７５、７６と、所定の可動櫛歯電極１、１１との間に例えば、正弦波の交流電圧等を印加する。より詳細には、例えば、可動櫛歯電極１、１１をアースしておき、図１中上側の２つの固定櫛歯電極７３、７５に図５（ａ）に示すような単相半端整流の波形の電圧を印加し、下側の２つの固定櫛歯電極７４、７６に図５（ｂ）に示すような図（ａ）の波形の電圧に対して位相が１８０°ずれた波形の電圧を印加する。これにより、可動櫛歯電極１と固定櫛歯電極７３、７４および可動櫛歯電極１１と固定櫛歯電極７５、７６との間にクーロン力（静電気力）が生じる。このクーロン力により、可動櫛歯電極１が、固定櫛歯電極７３、７４へ引きつけられる力の大きさおよび可動櫛歯電極１１が、固定櫛歯電極７５、７６へ引きつけられる力の大きさが、正弦波の位相の変化に従って変化する。このクーロン力により、連結部材４２、４２が、それぞれ、主として曲げ変形する。
【００３５】
ここで、各連結部材４２は、単独では主として曲げ変形が生じる（曲げ応力がかかる）が、第１の弾性連結部４（第１の振動系）全体としては、回動中心軸４１まわりに主としてねじり変形が生じる。これにより、可動櫛歯電極１、１１が、回動中心軸４１（第１の弾性連結部４）を軸に振動（回転）する。
そして、この可動櫛歯電極１、１１の振動（駆動）に伴って、第２の弾性連結部５、５が、ねじり応力を受けて、主としてねじり変形し、第２の弾性連結部５、５を介して連結されている可動部２も、回動中心軸４１（第２の弾性連結部５）を軸に振動（回転）する。
【００３６】
次に、第１の弾性連結部４、４と第２の弾性連結部５、５との断面２次モーメント、ねじり剛性の関係を、代表的に図１中右側の第１の弾性連結部４と第２の弾性連結部５を用いて説明する。
第１の弾性連結部４および第２の弾性連結部５の断面２次モーメント（変形しにくさの係数）は、弾性連結部４および５の形状や断面積によりその値が決定される。
【００３７】
第１の弾性連結部４、４と、第２の弾性連結部５、５とを前記の形状や配置や寸法とすることにより、第２の弾性連結部５に対して、第１の弾性連結部４の、図心を通る回動中心軸４１に関する断面２次モーメントが大きく設定されている。
一方、第１の弾性連結部４と第２の弾性連結部５とのねじり剛性は、それぞれ、弾性係数と、断面２次モーメントの積で表される。
【００３８】
第１の弾性連結部４、４と第２の弾性連結部５、５とを、前記の形状や配置や寸法や材質とすることにより、第２の弾性連結部５に対して第１の弾性連結部４の、回動中心軸４１まわりのねじり剛性が大きく設定されている。
これにより、可動櫛歯電極１の振動を抑えつつ、可動部２の回転角度（振れ角）を大きいものとすることができる。
【００３９】
以上説明したように、このアクチュエータ１００によれば、固定櫛歯電極７３、７４と可動櫛歯電極１とが接近しているため、可動櫛歯電極１、１１の低電圧での駆動が可能で、可動櫛歯電極１、１１に大きなトルクを作用させることができ、かつ、可動部２の回転角度（振れ角）が大きいアクチュエータ１００を得ることができる。
また、固定櫛歯電極７３、７５に印加される電圧の位相と大きさと、固定櫛歯電極７４、７６に印加される電圧の位相と大きさとが、略等しいため、可動櫛歯電極１、１１を同期的に振動させることができ、可動部２を安定して駆動することができる。
【００４０】
また、第１の弾性連結部４が、連結部材４２、４２で構成されているため、各第１の弾性連結部４が１本の場合に比べて、各連結部材４２と可動櫛歯電極１、１１との各接触部に発生する応力を緩和することができる。これにより、可動櫛歯電極１、１１の弾性変形が、確実に防止されるため、可動櫛歯電極１、１１のねじり振動以外の振動が低減または防止され、その回転動作が円滑に行われる。
【００４１】
また、可動櫛歯電極１、１１の駆動時に、各連結部材４２が、主として曲げ変形を生じることにより、以下の効果が生じる。
（１）可動櫛歯電極１、１１の弾性変形が、より確実に防止されるため、可動櫛歯電極１、１１の回転動作がより円滑に行われる。これによって可動櫛歯電極１、１１の駆動に対する可動部２の追従性（応答性）が非常によく、振動特性（挙動特性）に優れるアクチュエータ１００が得られる。
（２）各連結部材４２が、主としてねじり変形を生じる場合に比べて、第１の弾性連結部４のねじり剛性をさらに大きくすることができるため、可動部２の回転角度（振れ角）をより大きいものとすることができる。
【００４２】
また、櫛歯状電極６、７によって駆動を行うため、貫通孔１４が設けられていても、可動櫛歯電極１、１１に作用するクーロン力（駆動力）を低減させることがない。また、可動櫛歯電極１、１１の質量を低減することができるため、高速（高周波数）での駆動が可能となる。また、可動櫛歯電極１、１１の慣性モーメントＪ１を小さくすることができるため、可動部２の回転角度（振れ角）をより大きくすることができる。
なお、慣性モーメントＪ１については後述する。
【００４３】
ここで、可動櫛歯電極１の回動中心軸４１に対して略垂直な方向（長手方向）の端部１２との間の距離（長さ）をＬ１、可動櫛歯電極１１の回動中心軸４１に対して略垂直な方向（長手方向）の端部１２との間の距離（長さ）をＬ２、可動部の回動中心軸４１に対して略垂直な方向の端部１３との間の距離（長さ）をＬ３としたとき、可動櫛歯電極１、１１が、それぞれ独立して設けられているため、可動櫛歯電極１、１１と、可動部２とが干渉せず、可動部２の大きさにかかわらず、Ｌ１およびＬ２を小さくすることができる。これにより、可動櫛歯電極１、１１の回転角度を大きくすることができ、可動部２の回転角度を大きくすることができる。
この場合、可動部２の最大回転角度が、２０°以上となるように構成されるのが好ましい。
【００４４】
これらによって、可動櫛歯電極１、１１の低電圧駆動と、可動部２の大回転角度とを実現することができる。
このため、アクチュエータ１００を、例えば、レーザープリンタや、走査型共焦点レーザー顕微鏡等の装置に用いられる光スキャナに適用した場合、より容易に装置を小型化することができる。
なお、前述したように、本実施形態では、Ｌ１とＬ２とは略等しく設定されているが、Ｌ１とＬ２とが異なっていてもよいことは言うまでもない。
【００４５】
図６は、印加した交流電圧の周波数と、可動櫛歯電極および可動部の共振曲線を示すグラフである。
ところで、このような２自由度振動系のアクチュエータ１００では、可動櫛歯電極１および可動部２の振れ角（振幅）と、印加する交流電圧の周波数との間に、図６に示すような周波数特性が存在している。
【００４６】
すなわち、可動櫛歯電極１、１１と第１の弾性連結部４、４と、可動部２と第２の弾性連結部５、５とからなる２自由度振動系は、可動櫛歯電極（第１の質量部）１、１１と、可動部（第２の質量部）２の振幅とが大きくなる２つの共振周波数ｆｍ１［ｋＨｚ］、ｆｍ３［ｋＨｚ］（ただし、ｆｍ１＜ｆｍ３）と、可動櫛歯電極１の振幅がほぼ０となる、１つの反共振周波数ｆｍ２［ｋＨｚ］とを有している。
【００４７】
このアクチュエータ１００では、可動櫛歯電極１、１１と固定櫛歯電極７３、７４、７５、７６との間に印加する交流電圧の周波数Ｆが、２つの共振周波数のうち低いもの、すなわち、ｆｍ１とほぼ等しくなるように設定するのが好ましい。
すなわち、印加する交流電圧の周波数Ｆ［ｋＨｚ］をｆｍ１［ｋＨｚ］とほぼ等しいものに設定することにより、可動櫛歯電極１、１１の振幅を抑制しつつ、可動部２の振れ角（回転角度）を大きくすることができる。なお、本明細書中では、Ｆ［ｋＨｚ］とｆｍ１［ｋＨｚ］とがほぼ等しいとは、（ｆｍ１−１）≦Ｆ≦（ｆｍ１＋１）の条件を満足することを意味する。
【００４８】
可動櫛歯電極１、１１の平均厚さは、１〜１５００μｍであるのが好ましく、１０〜３００μｍであるのがより好ましい。
可動部２の平均厚さは、１〜１５００μｍであるのが好ましく、１０〜３００μｍであるのがより好ましい。
また、可動櫛歯電極１、１１の平均幅は、それぞれ、１００〜２０００μｍであるのが好ましく、５００〜１５００μｍであるのがより好ましい。
可動部２の平均幅は、１００〜３０００μｍであるのが好ましく、５００〜２０００μｍであるのがより好ましい。
【００４９】
第１の弾性連結部４のねじれ剛性は、１×１０−４〜１×１０４Ｎｍ/radであるのが好ましく、１×１０−２〜１×１０３Ｎｍ/radであるのがより好ましく、１×１０−１〜１×１０２Ｎｍ/radであるのがさらに好ましい。一方、第２の弾性連結部５のねじれ剛性は、１×１０−４〜１×１０４Ｎｍ/radであるのが好ましく、１×１０−２〜１×１０３Ｎｍ/radであるのがより好ましく、１×１０−１〜１×１０２Ｎｍ/radであるのがさらに好ましい。
これにより、可動櫛歯電極１、１１の振れ角を抑制しつつ、可動部２の回転角度（振れ角）をより大きくすることができる。
【００５０】
第１の弾性連結部４のばね定数ｋ１は、１×１０−４〜１×１０４Ｎｍ/radであるのが好ましく、１×１０−２〜１×１０３Ｎｍ/radであるのがより好ましく、１×１０−１〜１×１０２Ｎｍ/radであるのがさらに好ましい。これにより、可動部２の回転角度（振れ角）をより大きくすることができる。
また、第２の弾性連結部５のばね定数ｋ２は、１×１０−４〜１×１０４Ｎｍ/radであるのが好ましく、１×１０−２〜１×１０３Ｎｍ/radであるのがより好ましく、１×１０−１〜１×１０２Ｎｍ/radであるのがさらに好ましい。これにより、可動櫛歯電極１、１１の振れ角を抑制しつつ、可動部２の振れ角をより大きくすることができる。
【００５１】
第１の弾性連結部４のばね定数をｋ１、第２の弾性連結部５のばね定数をｋ２としたとき、ｋ１とｋ２とが、ｋ１＞ｋ２の関係を満足するのが好ましい。これにより、可動櫛歯電極１、１１の振れ角を抑制しつつ、可動部２の回転角度（振れ角）をより大きくすることができる。
また、可動櫛歯電極１の慣性モーメントをＪ１、可動部２の慣性モーメントをＪ２としたとき、Ｊ１とＪ２とが、Ｊ１≦Ｊ２の関係を満足することが好ましく、Ｊ１＜Ｊ２の関係を満足することがより好ましい。これにより、可動櫛歯電極１、１１の振れ角を抑制しつつ、可動部２の回転角度（振れ角）をより大きくすることができる。
【００５２】
ところで、第１の振動系の固有振動数ω１は、可動櫛歯電極１の慣性モーメントをＪ１、第１の弾性連結部４のばね定数をｋ１としたとき、ω１＝（ｋ１／Ｊ１）１／２によって与えられ、第２の振動系の固有振動数ω２は、可動部２の慣性モーメントをＪ２、第２の弾性連結部５のばね定数をｋ２としたとき、ω２＝（ｋ２／Ｊ２）１／２によって与えられる。
前記のようにして求められる第１の振動系の固有振動数ω１と第２の振動系の固有振動数ω２とは、ω１＞ω２の関係を満足するのが好ましい。これにより、可動櫛歯電極１、１１の振れ角を抑制しつつ、可動部２の回転角度（振れ角）をより大きくすることができる。
【００５３】
なお、本実施形態のアクチュエータ１００は、１対の第１の弾性連結部４および１対の第２の弾性連結部５のうち少なくとも１つが、その内部にピエゾ抵抗素子を備えたものであるのが好ましい。これにより、例えば、回転角度および回転周波数を検出したりすることができ、また、その検出結果を、可動部２の姿勢の制御に利用することができる。
なお、本実施形態では、一例として、固定櫛歯電極７３、７５に対して図５（ａ）に示す波形の電圧を印加して、固定櫛歯電極７４、７６に対して図５（ｂ）に示す波形の電圧を印加したが、これに限らず、例えば、固定櫛歯電極７３、７５に対して図５（ｃ）に示す、交流電圧を印加して、固定櫛歯電極７４、７６に対して図５（ｄ）に示す、交流電圧を印加してもよい。
【００５４】
ここで、図５（ｃ）に示す交流電圧は、オフセット電圧が与えられ、最小電位がグランド電位である正弦波の電圧である。
また、図５（ｄ）に示す交流電圧は、図５（ｃ）に対して位相が１８０°ずれた正弦波の電圧である。
また、本実施形態では、可動櫛歯電極１と固定櫛歯電極７３、７４とが１組の櫛歯状電極６を構成しているが、これに限らず、可動櫛歯電極１と固定櫛歯電極７３とで１組の櫛歯状電極を構成してもよいし、可動櫛歯電極１と固定櫛歯電極７４とで１組の櫛歯状電極を構成してもよい（櫛歯状電極７の可動櫛歯電極１１と固定櫛歯電極７５、７６との関係についても同様）。この場合、可動櫛歯電極１と固定櫛歯電極７３（７４）との間に、例えば、オフセット電圧を与えた、最小電位がグランド電位である正弦波（交流電圧）等を印加するのが好ましい。
【００５５】
次に、図１〜図３に示すようなアクチュエータ１００の製造方法の一例について添付図面を参照しつつ説明する。
図７および図８は、アクチュエータの製造方法の一例を示す工程図である。
本実施形態では、一例として、以下に示す工程により、アクチュエータ１００を製造する場合について説明する。
また、図７および図８では、説明を分かり易くするため、電極指５１を２つ、電極指７１を１つ形成する例を示す。
なお、以下では、説明の便宜上、図７中の右側を「右」、左側を「左」、上側を「上」、下側を「下」と言う。また、図７中の上下方向を「厚さ方向」という。
【００５６】
［１］
まず、図７（ａ）に示すように、シリコンで構成された活性層（第１の基材）７０と、シリコン酸化物で構成された絶縁層（中間層）８０と、シリコンで構成されたベース層（第２の基材）９０とがこの順で積層されているＳＯＩ（Ｓｉｌｉｃｏｎ  ｏｎ  Ｉｎｓｕｌａｔｏｒ）基板（積層体）５０を用意する。ＳＯＩ基板５０としては、片面にシリコン酸化物膜が形成されたシリコン基板を互いに貼り合わせたものを用いてもよいし、市販品（汎用品）を用いてもよい。特に市販品を用いることにより、表面の平坦度の高い、厚みが均一で、所望の厚さを有する良質な積層体を容易かつ安価に準備することができる。また、他の装置の母材として用意されているものをこのアクチュエータ１００の母材としても用いることができる。
【００５７】
［２］
次に、図７（ｂ）に示すように、ＳＯＩ基板５０の上面および下面に、例えば、Ａｌ（アルミニウム）等によりマスク層６１、６２を形成（マスキング）した後に、例えばフォトリソグラフィー法などにより、パターニングを施し、開口を形成する。ＳＯＩ基板５０の上面の開口の形状（平面形状）は、形成する構造体１０の形状（平面形状）に対応させる。また、ＳＯＩ基板５０の下面の開口の形状は、形成する開口部６０の形状（平面形状）に対応させる。
［３］
次に、図７（ｃ）に示すように、ＳＯＩ基板５０の上面に、選択的にフォトレジストを塗布し、露光、現像を行う。これにより、ドライエッチングのマスクとなるフォトレジスト６３のパターンが形成される。
【００５８】
［４］
次に、図７（ｄ）に示すように、上面からフォトレジスト６３をマスクとして、活性層７０のドライエッチングを途中まで行う。その後、表面のフォトレジストを剥離する。
なお、エッチング方法としては、例えば、プラズマエッチング、リアクティブイオンエッチング、ビームエッチング、光アシストエッチング等の物理的エッチング法のうちの１種または２種以上を組み合わせて用いることができる。
なお、以下の工程［５］、［６］のエッチングにおいて、同様の方法を用いることができる。
【００５９】
［５］
次に、図８（ｅ）に示すように、上面からマスク層６１を介して活性層７０を、絶縁層８０に達するまでエッチングする。これにより、厚さ方向に段差を有し、互いに非接触になるように分離した各電極指５１および各電極指７１を含む構造体１０が形成される。
［６］
次に、図８（ｆ）に示すように、下面からマスク層６２を介して絶縁層８０に達するまでベース層９０のエッチングを行う。
【００６０】
［７］
次に、図８（ｇ）に示すように、マスク層６１、６２を剥離し、ＢＨＦ（フッ酸）により絶縁層８０のエッチングを行う。これにより、開口部６０が形成される。
［８］
最後に、図８（ｈ）に示すように、可動部２の表面にマスクを施して、Ａｌ、Ａｕ等の光反射部（金属反射膜）２１を成膜する。
【００６１】
光反射部の成膜方法としては、真空蒸着、スパッタリング（低温スパッタリング）、イオンプレーティング等の乾式メッキ法、電解メッキ、無電解メッキ等の湿式メッキ法、溶射法、金属箔の接合等が挙げられる。
なお、工程［７］において、マスク層６１の可動部２に対応する部位を除去せずに残存させた場合は、本工程はなくてもよい。
以上のようにして、アクチュエータ１００が製造される。
【００６２】
以上説明したように、本実施形態のアクチュエータ１００の製造方法によれば、可動櫛歯電極１、１１と可動部２と支持部３、３と第１の弾性連結部４、４と第２の弾性連結部５、５と固定櫛歯電極７３、７４、７５、７６とが、共通の基材（活性層）に対して加工を施して形成されるため、これらを容易に製造することができる。特に、可動櫛歯電極１、１１と、固定櫛歯電極７３、７４、７５、７６とを容易に製造することができる。
【００６３】
また、可動櫛歯電極１、１１と固定櫛歯電極７３、７４、７５、７６とが、図７、８中上方向（一方向）からの加工により形成されるため、所望の形状、寸法の可動櫛歯電極１、１１と固定櫛歯電極７３、７４、７５、７６とを精密に製造することができる。すなわち、可動櫛歯電極１、１１と固定櫛歯電極７３、７４、７５、７６とのアライメント精度が向上する。
【００６４】
また、両方向からの加工を行う場合に比べて、工程数を削減することができるため、可動櫛歯電極１、１１と固定櫛歯電極７３、７４、７５、７６とを容易に製造することができる。
さらに、所望の形状、寸法の可動櫛歯電極１と固定櫛歯電極７３、７４、７５、７６とが精密に製造されるため、可動櫛歯電極１と固定櫛歯電極７３、７４、７５、７６との軸方向の間隔（間隙）を狭めることができる。これにより、さらなる低電圧での駆動および大きなトルクでの駆動が可能となるアクチュエータを製造することができる。
【００６５】
次に、本発明のアクチュエータの第２実施形態について説明する。
図９は、本発明のアクチュエータの第２実施形態を示す平面図である。以下、図９に示すアクチュエータ１００について、前記第１実施形態との相違点を中心に説明し、同様の事項については、その説明を省略する。
本実施形態のアクチュエータ１００では、可動櫛歯電極１１１が可動部２の周りに、空隙部１１２を介して環状に形成されている。
【００６６】
このような構成とすることにより、アクチュエータ１００をより安定した構造とすることができる。
また、本実施形態では、図９中上側の固定櫛歯電極７３と各電極指５１とを省略した構成としてもよいし、図９中下側の固定櫛歯電極７４と各電極指５１とを省略した構成としてもよい。
以上説明したようなアクチュエータは、例えば、レーザープリンタ、バーコードリーダー、走査型共焦点レーザー顕微鏡等の光スキャナ、イメージング用ディスプレイ等に好適に適用することができる。
【００６７】
以上、本発明のアクチュエータについて、図示の実施形態に基づいて説明したが、本発明はこれに限定されるものではない。例えば、本発明のアクチュエータでは、各部の構成は、同様の機能を発揮する任意の構成のものに置換することができ、また、任意の構成を付加することもできる。
また、前述した各実施形態では、光反射部２１が可動部２の下基板９と反対の面側に設けられている構成について説明したが、例えば、その逆の面に設けられている構成であってもよいし、両方の面に設けられている構成であってもよい。
また、支持部３、３が一体的に形成されていてもよい。
【００６８】
また、前述した１各実施形態では、可動櫛歯電極１、１１に、それぞれ貫通孔１４を形成したが、これに限らず、可動櫛歯電極１、１１を軽量化するもの、例えば、可動櫛歯電極１、１１に、それぞれ、有底の凹部を形成してもよい。
また、前述した各実施形態では、アクチュエータ１００を一体的に製造するものとして説明したが、一体的に製造しなくてもよい。例えば、構造体１０と、下基板９とを、別個に作成して、ガラス等で構成されたスペーサを介して、接合するものであってもよい。
【００６９】
また、前述した各実施形態では、電極指５１、５１の先端部５１１が、電極指７１、７１の先端部７１１をそれぞれ包含するように重なっているが、これに限らず、電極指７１、７１の先端部７１１が、電極指５１、５１の先端部５１１を、それぞれ包含するように重なっていてもよい。
この場合、電極指５１の厚さＬ４と各電極指７１の厚さＬ５とは、Ｌ４／Ｌ５（Ａ／Ｂ）が、０．３〜１．０なる関係を満足するのが好ましく、０．５〜０．８なる関係を満足するのがより好ましい。
また、第１の弾性連結部４は、第２の弾性連結部５に比べてねじり剛性が大きく設定されていれば、第１の弾性連結部４の形状、配置、寸法、材質等は、図示のものに限らず、前述したもの（図示したもの）に限定されない。
【００７０】
図１０は、第１の弾性連結部の変形例を示す平面図である。
第１の弾性連結部４のねじり剛性が大きいもの（構成）には、一例として、以下の（ａ）〜（ｊ）が挙げられる。
（ａ）第２の弾性連結部５の幅ｂより連結部材４２（第１の弾性連結部４）の幅ａが大きいもの。（ｂ）連結部材４２の長さｅを第２の弾性連結部５の長さｆより短いもの。（ｃ）連結部材４２に１つまたは複数個（図示では１つ）の貫通孔が形成されているもの。（ｄ）回動中心軸４１に同軸的に設けられた連結部材４２から回動中心軸４１を介して互いに反対方向に、可動櫛歯電極１（１１）に向かって２本の連結部材４２が延設されたもの。（ｅ）回動中心軸４１の両側に、それぞれ、２本以上（図示では２本）の連結部材４２が配置されたもの。（ｆ）各連結部材４２の一端側と他端側とが回動中心軸４１を介してそれぞれ反対側に位置するもの。（ｇ）各連結部材４２が互いに交差するように複数個形成されているもの。（ｈ）、（ｉ）連結部材４２の一部または全部が湾曲または屈曲しているもの。（ｊ）連結部材４２が、平面視で略Ｈ型をしているもの等が挙げられ、これら（ａ）〜（ｊ）のうちの１つまたは２つ以上の構成の組み合わせを用いることができる。
【００７１】
また、可動櫛歯電極１、１１と固定櫛歯電極７３、７４、７５、７６とのうちの、いずれか一方または両方の表面に、絶縁処理が施されていてもよい。これにより、各可動櫛歯電極と各固定櫛歯電極との短絡を防止することができる。
また、本実施形態では、各電極指７１と各電極指５１とが厚さ方向に重なるように設けられたが、厚さ方向に重ならないように設けられていてもよく、例えば、各電極指７１が、下基板９に設けられていてもよい。
【図面の簡単な説明】
【００７２】
【図１】本発明のアクチュエータの第１実施形態を示す平面図である。
【図２】図１中のＡ−Ａ線での断面図である。
【図３】図１中のＢ−Ｂ線での断面図である。
【図４】図２に示す櫛歯状電極の一部を拡大した断面図である。
【図５】アクチュエータに印加する交流電圧の一例を示す図である。
【図６】印加した交流電圧の周波数と、可動櫛歯電極および可動部の共振曲線を示すグラフである。
【図７】アクチュエータの製造方法の一例を示す工程図である。
【図８】アクチュエータの製造方法の一例を示す工程図である。
【図９】本発明のアクチュエータの第２実施形態を示す平面図である。
【図１０】第１の弾性連結部の変形例を示す平面図である。
【図１１】従来のアクチュエータを説明するための図である。
【符号の説明】
【００７３】
１、１１、１１１……可動櫛歯電極  １０……構造体  １２、１３……端部  １４……貫通孔  ２……可動部  ２１……光反射部  ３……支持部  ４……第１の弾性連結部  ４１……回動中心軸  ４２……連結部材  ５……第２の弾性連結部  ６、７……櫛歯状電極  ６０……開口部  ５１、７１……電極指  ５１１、７１１……先端部  ５１２、７１２……下端面  ５５……可動電極  ７３、７４、７５、７６……固定櫛歯電極  ７７……固定電極  ８……絶縁部  ９……下基板  ５０……ＳＯＩ基板  ６１、６２……マスク層  ６３……フォトレジスト  ７０……活性層  ８０……絶縁層  ９０……ベース層  １００……アクチュエータ  ２００……スペーサ  ３００……可動電極板  ３００ａ……両端固定部  ３００ｂ……トーションバー  ３００ｃ……可動電極部  ４００……固定電極  ５００……電源  ６００……スイッチ  １０００……ガラス基板  １１２……空隙部  Ｌ１、Ｌ２、Ｌ３……距離  Ｌ４、Ｌ５……厚さ  ａ、ｂ……幅  ｃ、ｄ……厚さ  ｅ、ｆ……長さ  ｈ４、ｈ５……中点  ｈ６……距離
【図１】
2006167860.tif 000003
【図２】
2006167860.tif 000004
【図３】
2006167860.tif 000005
【図４】
2006167860.tif 000006
【図５】
2006167860.tif 000007
【図６】
2006167860.tif 000008
【図７】
2006167860.tif 000009
【図８】
2006167860.tif 000010
【図９】
2006167860.tif 000011
【図１０】
2006167860.tif 000012
【図１１】
2006167860.tif 000013